(57)【特許請求の範囲】
【請求項１】
調理の開始と終了を検知する検知手段と、前記検知手段が認識した調理の開始と終了の赤外線信号を送信窓から送信する送信手段とを設け、前記赤外線信号を受信する受信手段を有する換気扇と連動した運転、停止を行うための換気連動装置を備えた調理器具であって、前記送信窓から送信された前記赤外線信号を、前記調理器具を操作する人体で上方に反射させることにより前記調理器具上部に配設された前記換気扇の前記受信手段が受信するようにして前記換気扇と赤外線通信を行う前記換気連動装置を備えた調理器具。
【請求項２】
検知手段は調理の開始と終了を操作ボタンの操作により検知し、送信窓は操作ボタンの上部に配置され、前記操作ボタンの操作時に、前記送信窓から前記操作ボタン近傍に向けて上方から赤外線信号を照射し、前記赤外線信号を操作する手に反射させて上方の換気扇と赤外線通信を行う請求項１記載の換気連動装置を備えた調理器具。
【発明の詳細な説明】
【０００１】
【発明の属する技術分野】
本発明は、ガスや電気を熱源とした調理器具であって、換気扇と赤外線通信により連動運転する換気連動装置を備えた調理器具に関する。
【０００２】
【従来の技術】
調理器具と換気扇を有線で接続し、調理開始や終了に応じた信号を換気扇に通信し、換気扇の運転、停止を行う換気連動装置が実用化されている。また、換気扇操作用の赤外線リモコンを調理器具に備え、換気扇の運転、停止の操作を行う方法も提案されている。
【０００３】
【発明が解決しようとする課題】
しかしながら従来のように調理器具と換気扇の有線接続では、通信線の壁面への埋め込み工事が必要となり、施工性が悪いという課題があった。
【０００４】
また、換気扇操作用の赤外線リモコンは、調理器具と連動していないため、調理の際に赤外線リモコンを操作する必要があり、不便であった。
【０００５】
【課題を解決するための手段】
本発明は、上記課題を解決するために、調理の開始と終了を検知する検知手段と、前記検知手段が認識した調理の開始と終了の赤外線信号を送信窓から送信する送信手段とを設け、前記赤外線信号を受信する受信手段を有する換気扇と連動した運転、停止を行うための換気連動装置を備えた調理器具であって、前記送信窓から送信された前記赤外線信号を、前記調理器具を操作する人体で上方に反射させることにより前記調理器具上部に配設された前記換気扇の前記受信手段が受信するようにして前記換気扇と赤外線通信を行う前記換気連動装置を備えた調理器具としたものである。
【０００６】
上記発明によれば、送信窓から送信された赤外線信号を、調理器具を操作する人体で上方に反射させることにより調理器具上部に配設された換気扇の受信手段が受信するようにして換気扇と赤外線通信を行う換気連動装置を備えた調理器具とすることにより、調理器具と換気扇を赤外線通信で連動運転させることが可能となるため、通信線の工事が不要になると共に、換気扇操作用の赤外線リモコンを操作する手間もなくなり、利便性が向上する。
【０００７】
【発明の実施の形態】
本発明は、調理の開始と終了を検知する検知手段と、前記検知手段が認識した調理の開始と終了の赤外線信号を送信窓から送信する送信手段とを設け、前記赤外線信号を受信する受信手段を有する換気扇と連動した運転、停止を行うための換気連動装置を備えた調理器具であって、前記送信窓から送信された前記赤外線信号を、前記調理器具を操作する人体で上方に反射させることにより前記調理器具上部に配設された前記換気扇の前記受信手段が受信するようにして前記換気扇と赤外線通信を行う前記換気連動装置を備えた調理器具である。そして、調理器具の使用開始と終了を検知して、調理器具から換気扇へ換気扇の運転、停止の信号を送信窓から送信し、調理器具を操作する人体で上方に反射させることにより換気扇の受信手段が受信するようにして赤外線通信を行うことにより、連動運転が可能となる。
【０００８】
さらに、検知手段は調理の開始と終了を操作ボタンの操作により検知し、送信窓は操作ボタンの上部に配置され、操作ボタンの操作時に、送信窓から操作ボタン近傍に向けて上方から赤外線信号を照射する構成とし、赤外線信号を操作する手に反射させて上方の換気扇と赤外線通信を行う構成としたものである。そして、送信窓は操作ボタンの上部に配置され、送信窓から操作ボタン近傍に向けて上方から赤外線信号を照射し、操作時の手に赤外線信号を反射させることにより、黒い服など赤外線を吸収しやすい衣服を着用していても確実に上方の換気扇へ赤外線信号を反射し、通信を行うことができる。
【００１６】
【実施例】
以下、本発明の実施例について、図面を用いて説明する。
【００１７】
（実施例１）
図１は本発明の実施例１の調理器具と換気扇をセットした状態の斜視図である。図１において、調理器具１の上部に換気扇２を配設し、３は左コンロ用操作ボタン、４は奥コンロ用操作ボタン、５は右コンロ用操作ボタン、６はグリル用操作ボタンで調理器具１の点火、消火を行ない、各々が調理の開始（点火）と終了（消火）を検知する検知スイッチを内蔵している。７は調理器具１から換気扇２へ赤外線信号を送信する送信窓、８は上記赤外線信号を受信する換気扇２の受信部である。上記操作ボタン３〜６を操作して調理器具１の点火を行うと、内蔵している検知スイッチが点火状態を認識し、信号が調理器具１本体内に収納した制御回路へ送られる。制御回路は受信した信号を判定して送信窓７から調理の開始の赤外線信号を送信し、赤外線信号は調理器具１を操作する人体で上方へ反射し換気扇２の受信部８で受信されて換気扇２の運転を行う。調理の終了の場合も同様である。
【００１８】
次に作用を説明する。上記操作ボタン３〜６の操作で調理器具の使用開始と終了を検知して、調理器具から換気扇へ換気扇の運転、停止の信号を送信し、赤外線通信を行うことにより、連動運転が可能となる。
【００１９】
（実施例２）
図２は本発明の実施例２の送信手段部の断面図である。図２において、操作ボタン３〜６の上部に送信窓７を設け、上記送信窓７の内部には赤外線信号を発光する赤外線発光素子１０を備えている。上記調理器具１の使用時、上記操作ボタン３〜６を操作すると、上記赤外線発光素子１０は一定の照射角θで送信窓７を通して上記操作ボタン３〜６の近傍に向けて赤外線信号を照射し、操作する手に反射して上部の換気扇２へ赤外線信号が送られる。
【００２０】
次に作用を説明する。上記操作ボタン３〜６の上部に送信手段である上記赤外線発光素子１０と送信窓７を設けて、下方の上記操作ボタン３〜６の近傍に向けて上記赤外線発光素子１０から赤外線信号を照射する構成としているため、黒い服など赤外線を吸収しやすい衣服を着用していても、赤外線信号は操作時の手で上方へ反射され上部の換気扇２へ確実に到達する。
【００２１】
（参考例１）
図３は本発明の参考例１の断面図である。図３において、調理器具１の本体内に送信窓７と赤外線発光素子１０を設け、調理器具１の上面に位置するトッププレート１１には後方に排気穴１２を設けている。１３はキッチンの後壁で赤外線など光を反射する光沢のあるタイルなど不燃材で構成されている。調理器具１の使用時、操作ボタン３〜６を操作すると上記赤外線発光素子１０は送信窓７を通し、上記排気穴１２からキッチンの後壁１３に向けて赤外線信号を照射し、上記後壁１３で上方に向けて反射して換気扇２の受信部８へ赤外線信号が到達する。
【００２２】
次に作用を説明する。操作ボタン３〜６を操作すると上記赤外線発光素子１０は送信窓７を通し、上記排気穴１２からキッチンの後壁１３に向けて赤外線信号を照射する構成としているため、反射物が一定となり、より確実に上部の換気扇２の受信部８へ赤外線信号が到達する。即ち、調理器具１正面で人体に反射させる場合は人の位置や衣服の色、材質で反射性能が変化するが、キッチン後壁の一定位置で反射させるため、安定した反射性能が得られる。
【００２３】
（参考例２）
本参考例は調理器具１のコンロ、グリルを複数同時使用した場合の連動信号の制御に関し、複数調理の際、最初の調理開始と最後の調理終了までの間は赤外線通信を行わない構成としたものである。例えば、左コンロを使用中にグリルを使用した場合の制御の仕様を説明する。最初の左コンロ点火時に赤外線信号を調理器具１から換気扇２へ送信を行ない、換気扇２は運転を開始する。その後、グリルを点火した際には既に換気扇２は運転しているため赤外線信号を調理器具１から送信せず、又消火の際もどちらか一方の消火では赤外線信号を送信せずに、左コンロ、グリル共に消火した時点で換気扇２の停止を行う赤外線信号を調理器具１から送信する仕様構成とする。
【００２４】
次に作用を説明する。上記仕様構成としているため、調理器具１の複数調理時の調理開始、停止毎に送信する場合に比べて送信回数が減少し送信用の駆動電力を軽減することができる。
【００２５】
（参考例３）
図４は本発明の参考例３のブロック図である。図４において、１４はバーナの火炎検出装置としてバーナ近傍に設けた熱電対で、調理の開始（バーナ燃焼）、終了（バーナ消火）を上記熱電対より発生した熱起電力の値により検知し赤外線発光素子１０から赤外線信号を送信する。
【００２６】
次に作用を説明する。上記構成としているため、操作ボタンに内蔵する検出スイッチに比べ調理中の煮こぼれなど何らかの原因でバーナが消火した場合であっても終了を検知し、調理器具から換気扇へ送信し、換気扇を停止することができ調理器具の消火操作をするまで換気扇が運転し続ける現象を防止できる。
【００２７】
（参考例４）
図５は本発明の参考例４のガス通路部内の流量検出ブロック図である。図５において、ガス通路部１５の一部に超音波振動子１６と１７をガスの流れ方向に相対して設け、超音波振動子１６、１７間でガスの流れ方向及び逆流れ方向に超音波を発生させ、それぞれの検出時間差を計測、演算してガスの流量を検出し調理の開始と終了を検知する。
【００２８】
次に作用を説明する。上記構成としているため、複数の操作ボタンのそれぞれの操作状態を検知する検知スイッチが不要となり、ガスの流量の有無を検知するだけで調理器具から換気扇へ赤外線信号を送信し、換気扇の運転、停止をすることが可能となり調理の開始、終了の検知手段の簡素化が図れる。
【００２９】
（参考例５）
本参考例は、参考例４にて検出したガスの流量の大小から換気扇の運転を切換制御するもので、ガスの流量の大小変化に応じて数種類の赤外線信号を調理器具から換気扇へ送信する。
【００３０】
次に作用を説明する。上記仕様構成としているため、例えば、炒め物調理など高火力調理と煮物調理など小火力調理のガスの流量の大小を検知し、大流量の場合は換気扇の「強」運転用の信号を、小流量の場合は「弱」運転用の信号を調理器具から換気扇へ送信し、換気扇の運転を切換制御して、使用状況に応じた換気を行うことができる。
【００３１】
（参考例６）
本参考例は、調理器具から送信した信号の換気扇受信時に受付音で報知する構成としたものである。次に作用を説明する。上記構成により、調理器具と換気扇の連動運転状態を使用者に確実に知らせることができる。
【００３２】
（参考例７）
図１において、９は換気扇に設けた手元照明で、調理器具からの換気扇の運転信号で点灯し、停止信号で消灯する。次に作用について説明する。上記構成により、調理の開始と共に調理面を明るくでき、又調理終了時には消灯して消し忘れを防止する。
【００３３】
【発明の効果】
以上の説明から明らかなように本発明の換気連動装置によれば次の効果が得られる。
【００３４】
本発明の請求項１によれば、調理器具の使用開始と終了を検知して、調理器具から換気扇へ換気扇の運転、停止の信号を送信窓から送信し、送信された赤外線信号を、調理器具を操作する人体で上方に反射させることにより調理器具上部に配設された換気扇の受信手段が受信するようにして換気扇と赤外線通信を行うことにより、連動運転が可能となる。
【００３５】
本発明の請求項２によれば、送信窓を操作ボタンの上部に配置し、送信窓から操作ボタン近傍に向けて上方から赤外線信号を照射し、操作時の手に赤外線信号を反射させることにより、黒い服など赤外線を吸収しやすい衣服を着用していても確実に上方の換気扇へ赤外線信号を反射し、通信を行うことができる。
【図面の簡単な説明】
【図１】  本発明の実施例１の換気連動装置における調理器具と換気扇をセットした斜視図
【図２】  本発明の実施例２の換気連動装置における送信手段からの信号の流れを明示した断面図
【図３】  本発明の参考例１の換気連動装置における送信手段からの信号の流れを明示した断面図
【図４】  本発明の参考例３の換気連動装置における送信手段からの信号の流れを明示したブロック構成図
【図５】  本発明の参考例４の換気連動装置における送信手段からの信号の流れを明示したガス通路部内の流量検出ブロック図
【符号の説明】
１  調理器具
２  換気扇
３  左コンロ用操作ボタン
４  奥コンロ用操作ボタン
５  右コンロ用操作ボタン
６  グリル用操作ボタン
７  送信窓
８  受信部
９  手元照明
１０  赤外線発光素子
１１  トッププレート
１２  排気穴
１３  後壁
１４  熱電対
１５  ガス通路部
１６  超音波振動子
１７  超音波振動子
【図１】
0004032759.tif 000002
【図２】
0004032759.tif 000003
【図３】
0004032759.tif 000004
【図４】
0004032759.tif 000005
【図５】
0004032759.tif 000006